(57)【要約】電気治療器は、複数種類の出力周波数が出力される順番に並べられていると共にコード番号が付されているコードデータ、及び、出力される順番に複数のコード番号が並べられていると共にコース番号が付されているコースデータが記憶されている記憶部と、入力されたコース番号に基づいて記憶部からコースデータを抽出すると共に、抽出されたコースデータに基づいてコードデータを抽出し、コードデータに基づき出力周波数の交流電流を順番に出力部から出力させる制御部とを具備するものであり、交流電流が出力される出力部は、パッド型電極または導電線（１２ｅ）が配設されたマット（１２）の少なくとも何れかに出力する第一出力回路と、ピン状電極（１３ｅ）を有するプローブ（１３）に出力する第二出力回路との何れかに切換えるスイッチ（ＳＴ１）〜（ＳＴ４）を具備している。
2019167253.tif 000002
【特許請求の範囲】
【請求項１】
複数種類の出力周波数が出力される順番に並べられていると共にコード番号が付されているコードデータ、及び、出力される複数の前記コードデータの順番に前記コード番号が並べられていると共にコース番号が付されているコースデータ、が記憶されている記憶部と、
ユーザの操作により、前記コース番号が入力される入力操作部と、
交流電流が出力される出力回路を有する出力部と、
前記入力操作部から入力された前記コース番号に基づいて前記記憶部から前記コースデータを抽出すると共に、抽出された前記コースデータを構成する前記コード番号に基づいて前記コードデータを抽出し、抽出された前記コードデータに基づいて、前記出力周波数の交流電流を順番に前記出力部から出力させる制御部と、を具備し、
前記出力部は、ユーザの操作により、パッド型電極または導電線が配設されたマットの少なくとも何れかに前記出力周波数の交流電流を出力する第一出力回路、及び、ピン状電極を有するプローブに前記出力周波数の交流電流を出力する第二出力回路の何れかに、前記出力回路を切換えるスイッチを有する
ことを特徴とする電気治療器。
【請求項２】
ユーザの操作により、前記出力周波数の出力電圧を設定可能であり、
前記制御部は、
前記出力周波数の交流電流の出力を前記出力部に開始させる際に、前記出力電圧をゼロから設定値まで、前記設定値の大きさによらず一定の上昇速度で上昇させ、
前記出力周波数の交流電流の出力を前記出力部に停止させる際に、前記出力電圧を前記設定値からゼロまで、前記設定値の大きさによらず一定の下降速度で下降させる
ことを特徴とする請求項１に記載の電気治療器。
【発明の詳細な説明】
【技術分野】
【０００１】
本発明は、特定の周波数の交流電流を出力する電気治療器に関するものである。
【背景技術】
【０００２】
人体に貼り付けられた一対のパッド型電極に対して、所定の周波数の電流を出力する電気治療器が知られている。この種の電気治療器は、体表にパッド型電極を貼り付けた上で、周波数、出力時間、及び出力電圧の大きさを設定して、動作させるようにしていた。【０００３】
しかしながら、従来の電気治療器では、途中で周波数を変更したい時には、一旦動作を停止させた上で、変更したい周波数を選択して、再度、動作させる必要があり、手間がかかるという問題があった。
【発明の概要】
【発明が解決しようとする課題】
【０００４】
そこで、本発明は、上記の実情に鑑み、複数の異なる周波数の交流電流を連続的に出力することが可能な電気治療器の提供を、課題とするものである。
【課題を解決するための手段】
【０００５】
上記の課題を解決するために、本発明に係る電気治療器は、
「複数種類の出力周波数が出力される順番に並べられていると共にコード番号が付されているコードデータ、及び、出力される複数の前記コードデータの順番に前記コード番号が並べられていると共にコース番号が付されているコースデータ、が記憶されている記憶部と、
ユーザの操作により、前記コース番号が入力される入力操作部と、
交流電流が出力される出力回路を有する出力部と、
前記入力操作部から入力された前記コース番号に基づいて前記記憶部から前記コースデータを抽出すると共に、抽出された前記コースデータを構成する前記コード番号に基づいて前記コードデータを抽出し、抽出された前記コードデータに基づいて、前記出力周波数の交流電流を順番に前記出力部から出力させる制御部と、を具備し、
前記出力部は、ユーザの操作により、パッド型電極または導電線が配設されたマットの少なくとも何れかに前記出力周波数の交流電流を出力する第一出力回路、及び、ピン状電極を有するプローブに前記出力周波数の交流電流を出力する第二出力回路の何れかに、前記出力回路を切換えるスイッチを有する」ものである。【０００６】
本構成によれば、入力操作部からコース番号が入力されると、コース番号と関連付けられたコースデータ、及びコースデータを構成するコード番号と関連付けられたコードデータが、記憶部から抽出される。そして、コースデータを構成しているコード番号の順番で、且つ、各コード番号のコードデータを構成している出力周波数の順番で、交流電流が出力される。従って、従来とは異なり、出力周波数を切換える度に動作を停止させて出力周波数を入力する必要なく容易に、複数の異なる周波数の交流電流を連続的に出力することができる。【０００７】
また、出力回路は、パッド型電極または導電線が配設されたマットの少なくとも何れかに交流電流を出力する第一出力回路と、ピン状電極を有するプローブに交流電流を出力する第二出力回路に切換えることができる。従って、一台で多種類の治療が実行できる電気治療器に対する要請に、応えることができる。【０００８】
本発明に係る電気治療器は、上記構成に加えて、
「ユーザの操作により、前記出力周波数の出力電圧を設定可能であり、
前記制御部は、
前記出力周波数の交流電流の出力を前記出力部に開始させる際に、前記出力電圧をゼロから設定値まで、前記設定値の大きさによらず一定の上昇速度で上昇させ、
前記出力周波数の交流電流の出力を前記出力部に停止させる際に、前記出力電圧を前記設定値からゼロまで、前記設定値の大きさによらず一定の下降速度で下降させる」ものとすることができる。【０００９】
本構成によれば、出力周波数の出力を開始する時には、出力電圧をゼロから設定値まで徐々に上昇させ、出力を停止する時には、出力電圧を設定値からゼロまで徐々に下降させているため、出力電圧の大きさの変化に伴ってユーザの身体が受ける刺激が小さいものとなっている。【００１０】
加えて、出力電圧の設定値の大きさによらず、出力電圧の変化速度（上昇速度及び下降速度）を一定としているため、出力電圧の変化に伴って受ける刺激が一定である。
【発明の効果】
【００１１】
以上のように、本発明の効果として、複数の異なる周波数の交流電流を連続的に出力することが可能な電気治療器を、提供することができる。
【図面の簡単な説明】
【００１２】
【図１】本発明の一実施形態である電気治療器の正面図である。
【図２】図２（ａ）はコードデータの説明図であり、図２（ｂ）はコースデータの説明図である。
【図３】図１の電気治療器の機能的構成を示すブロック図である。
【図４】図４（ａ）は第一出力回路及び第二出力回路の切換えを示す出力回路の要部であり、図４（ｂ）はマットの構成図であり、図４（ｃ）はプローブの斜視図である。
【図５】図５（ａ）〜図５（ｄ）は電極パッド対、マット、プローブ、及びアース・グリップの出力端子への接続を説明する図である。
【図６】制御部における処理の流れを説明するフローチャートである。
【図７】図６に引き続き、制御部における処理の流れを説明するフローチャートである。
【図８】図８（ａ）〜図８（ｃ）は、出力レベルの制御の説明図である。
【発明を実施するための形態】
【００１３】
本発明の具体的な実施形態である電気治療器１について、図１乃至図８（ｃ）を参照して説明する。電気治療器１は、記憶部２、入力操作部３、出力部４、制御部５、発振部６、リモコン受信部８、表示部９、及び、スピーカ１０を具備している。
【００１４】
電気治療器１は、１〜１００００Ｈｚの範囲の出力周波数を、２５〜２００の種類数で出力するものであり、それらから選択された出力周波数が、コードデータ及びコースデータとして記憶部２に記憶されている。コードデータは、図２（ａ）に示すように、複数種類の出力周波数が出力される順番に並べられているものであり、コード番号と関連付けられたデータベースとして記憶されている。本実施形態では、各コードデータを構成する出力周波数の種類数は１〜５０であり、各コードデータにおいて数値の低い順に並べられている。また、各出力周波数の出力時間は等しく、ここでは３分である。各コードデータを構成する出力周波数の種類数と、合計の出力時間も、コードデータと共にコード番号と関連付けられて記憶されている。記憶部２には、最大で３４４個のコードデータが記憶される。
【００１５】
コースデータは、図２（ｂ）に示すように、複数のコードデータが出力される順番に、コード番号が並べられているものであり、コース番号と関連付けられたデータベースとして記憶部２に記憶されている。各コースデータは、出力周波数の種類数の合計が５０個を越えないように、１〜８個のコード番号が並べられて構成されている。つまり、一つのコースデータを実行したときの出力時間は、合計で１５０分以下である。コース番号は「００」番から「１５」番まであり、これらのコース番号それぞれに関連付けて、予めコースデータが記憶されている。「００」番のコース番号に関連付けられたコースデータは、ユーザの操作により、任意のコード番号の並びとして記憶させることができる。なお、コースデータに加えて、コースデータを構成するコード番号の個数、及び、合計の出力時間も、コース番号「００」〜「１５」と関連付けて記憶部２に記憶されている。
【００１６】
発振部６は、制御部５からのコマンドに応じた周波数の波形を発生させる。出力部４は、発振部６が発生させたある周波数の交流電流を、出力端子４ａ〜４ｄに出力する。出力部４の出力回路は、図４（ａ）に示すように、接続部ｅ１から接続部ｅ２まで交流電流を流すと共に、接続部ｅ３から接続部ｅ４まで同一の周波数の交流電流を流すものである。この出力回路では、ユーザによる出力切換ボタン３ｆ（後述）の操作に伴ってスイッチＳＴ１，ＳＴ２，ＳＴ３，ＳＴ４が同時に動作し、それぞれの接点ａが閉じることにより出力端子４ａ，４ｂに出力される第一出力回路と、それぞれの接点ｂが閉じることにより出力端子４ｃ，４ｄに出力される第二出力回路とに切換えられる。
【００１７】
リモコン受信部８は、リモコン７からの信号を受信する。リモコン７は、開始／一時停止ボタンと、出力レベル設定ボタンと、を備えている。スピーカ１０は、入力操作部３が操作された際、及び、出力部４からの交流電流の出力の開始・終了の際に、報知音を発する。
【００１８】
記憶部２、出力部４、制御部５、発振部６、リモコン受信部８、及び、スピーカ１０は、電気治療器１の筐体２０の内部に収容されている。筐体２０の前面には、入力操作部３及び表示部９が設けられている。
【００１９】
入力操作部３は、図１に示すように、クリアボタン３ａ、メモリーボタン３ｂ、テンキー３ｃ、出力レベル設定ボタン３ｄ、開始／一時停止ボタン３ｅ、出力切換ボタン３ｆ、及び、電源ボタン３ｇを備えている。テンキー３ｃは、「０」〜「９」の数字ボタン、「＊」、及び「＃」の１２個のボタンからなる。
【００２０】
表示部９は、コース番号を表示するコース表示部９ａ、コード番号を表示するコード表示部９ｂ、出力レベルを表示する出力レベル表示部９ｃ、出力時間を表示する時間表示部９ｄ、出力される電圧値及び電流値を表示する出力値表示部９ｅ、及び、出力切換表示部９ｆを備えている。コース表示部９ａは、２桁の７セグメントＬＥＤである。コード表示部９ｂ、時間表示部９ｄ、出力値表示部９ｅは、それぞれ３桁の７セグメントＬＥＤである。出力レベル表示部９ｃでは、１５個のＬＥＤが右上りで直線状に列設されている。
【００２１】
また、筐体２０の前面には、出力端子４ａ〜４ｄ、及び、商用電源と接続するための電源端子２１が取付けられている。出力端子４ａ〜４ｄには、電極パッド対１１、マット１２、プローブ１３、及びアース・グリップ１４の何れかが接続される。電極パッド対１１は、図５（ａ），図５（ｂ）に示すように、ユーザの体表に貼り付けられる粘着パッドを備えるパッド型電極１１ｅの一対と、パッド型電極１１ｅと電気的に接続されており出力端子４ａまたは出力端子４ｂに接続される接続端子１１ｊを備えている。
【００２２】
マット１２は、図４（ｂ）に示すように、非電気伝導性の可撓性シートであるマット本体１２ｂ、マット本体１２ｂ内部に湾曲して配された導電線１２ｅ、出力端子４ａまたは出力端子４ｂに接続される接続端子１２ｊを備えている。また、マット１２は、接続端子１２ｊを介して導電線１２ｅに供給される直流電流の大きさを調整するための可変抵抗器１２ｖを、備えている。なお、マット本体１２ｂは、その上に人が座したり横臥したりして使用するものであり、短辺が９０〜１００ｃｍ、長辺が１６０〜２００ｃｍの長方形である。
【００２３】
プローブ１３は、図４（ｃ）に示すように、ユーザが把持する部分であるプローブ本体１３ｂ、その先端に設けられたヘッド部１３ｈ、ヘッド部１３ｈから突出しているピン状電極１３ｅ、及び、ピン状電極１３ｅと電気的に接続されており出力端子４ｄに接続される接続端子１３ｊを備えている。アース・グリップ１４は、図５（ｃ）に示すように、電気伝導性のシャフト１４ｂ、及び、シャフト１４ｂと電気的に接続されており出力端子４ｃに接続される１４ｊを備えている。
【００２４】
入力操作部３の出力切換ボタン３ｆをユーザが操作すると、図４（ａ）を用いて上述したように、出力回路が第一出力回路及び第二出力回路の何れかに切換えられる。第一出力回路に切換えられたときは、出力切換表示部９ｆにおいて「１」のＬＥＤが点灯し、第二出力回路に切換えられたときは「２」のＬＥＤが点灯する。
【００２５】
第一出力回路では、出力端子４ａ及び出力端子４ｂから交流電流が出力されるため、図５（ａ）に示すように、出力端子４ａ，４ｂのそれぞれに電極パッド対１１を接続することができる。これにより、４枚の電極パッドを使用して、ユーザの身体に低周波の交流電流を流すことができる。或いは、図５（ｂ）に示すように、出力端子４ａ及び出力端子４ｂの一方に電極パッド対１１を接続すると共に、他方にマット１２を接続することができる。マット本体１２ｂに配された導電線１２ｅに交流電流が流れることにより、変化する磁界が発生し、磁界が変化することによって電界が変化し電磁波が発生する。従って、導電線１２ｅに供給される交流電流の周波数及び大きさに応じて発生する電磁波及び電磁界によって、ユーザの身体が刺激を受けることが期待される。
【００２６】
第二出力回路では、出力端子４ｃ及び出力端子４ｄから交流電流が出力されるため、図５（ｃ）に示すように、出力端子４ｃにアース・グリップ１４を接続すると共に出力端子４ｄにプローブ１３を接続することができる。プローブ１３はピン状電極１３ｅを有しているため、前腕、下肢、頭皮など、体毛や髪の存在によってパッド型電極を貼り付けにくい箇所であっても、電極を体表に当接させることができる利点がある。ユーザがアース・グリップ１４を握っていれば、ピン状電極１３ｅとアース・グリップ１４との間で、ユーザの身体に所定周波数の交流電流を流すことができる。また、プローブ１３は、プローブ本体１３ｂの基部にアース部（図示を省略）を有しているため、ユーザ自身がプローブ１３を操作してアース部に触れていれば、図５（ｄ）に示すように、出力端子４ｃにアース・グリップ１４を接続することなく、出力端子４ｄにプローブ１３を接続するのみで、ユーザの身体に所定周波数の交流電流を流すことができる。
【００２７】
なお、電極パッド対１１、プローブ１３、アース・グリップ１４、電源コードは、筐体２０が有する凹部２２に収容することができる。凹部２２は、筐体２０の前面において、入力操作部３よりも下側で後方へ向かって窪んでいる。
【００２８】
次に、本実施形態の電気治療器１の使用方法について、制御部５における処理の流れと共に説明する。電気治療器１は、動作モードとして、治療用モードとコース登録モードとを有している。治療用モードには、コード番号に関連付けられたコードデータの一つのみを実行する単独コードモード、コース番号「００」に任意に登録されたコースデータを実行するダイレクトモード、コース番号「０１」〜「１５」に予め設定されているコースデータを実行するコースモードの三つがある。コース登録モードは、ダイレクトモードやコースモードで実行されるコースデータを、記憶部に記憶させる（登録する）ためのモードである。
【００２９】
まず、コース登録モードについて説明する。記憶部２には、ダイレクトモード用にコース番号「００」に関連付けてコースデータを記憶させる領域と、コースモード用にコース番号「０１」〜「１５」にそれぞれ関連付けてコースデータを記憶させる領域が設けられている。電気治療器１の工場出荷時には、コース番号「００」の領域には何も登録されておらず、コース番号「０１」〜「１５」の領域には、それぞれ異なるコースデータが予め登録されている。通常は、コース番号「００」の領域のみに、ユーザが所望する任意のコースデータを登録することができる。
【００３０】
コース番号「００」にコースデータを登録するコード登録モードは、電源端子２１に電源コードを接続して通電させた状態で、電源ボタン３ｇを操作して電源をＯＮにした後に、メモリーボタン３ｂを２秒以上長押しすると実行される。コース番号「００」にコースデータが登録されていない状態では、コード表示部９ｂに「０００」が点滅表示され、コースデータが既に登録されている場合は、コースデータを構成するコード番号のうち先頭の番号がコード表示部９ｂに表示される。
【００３１】
コード表示部９ｂで「０００」が点滅している状態で、テンキー３ｃによってコード番号を入力すると、その数字がコード表示部９ｂに表示される。この状態で「＃」ボタンを押すと、そのコード番号が登録され、コード表示部９ｂの表示が「０００」の点滅に切換わって次のコード番号の入力が促される。これを繰り返すことで、最大で８個のコード番号で構成されるコースデータを登録することができ、８個目のコード番号が登録されると、コースデータの登録が自動的に完了する。コード番号が８個未満の状態で登録を完了させる場合は、「＃」ボタンを２度押しする。
【００３２】
既に、コース番号「００」に登録されているコースデータを変更する場合は、出力レベル設定ボタン３ｄ「△」「▽」の操作により、コースデータを構成しているコード番号を、順番にコード表示部９ｂに表示させることができる。そして、あるコード番号を削除したい時には、そのコード番号を表示させた状態でクリアボタン３ａを押すことにより、当該コード番号が削除され、それ以降のコード番号が繰り上がる。あるコード番号を別のコード番号に置換したい時には、元のコード番号を表示させた状態でクリアボタン３ａを２度押しすると、コード表示部９ｂが「０００」の点滅表示となる。新たなコード番号をテンキー３ｃで入力して「＃」ボタンを押すと、新たなコード番号に置換される。
【００３３】
なお、コース番号「０１」〜「１５」については、通常は、登録されているコースデータを変更することができないようにロックされている。以下の手順により、ロックを解除して、コース番号「０１」〜「１５」に登録されているコースデータを変更することができる。
【００３４】
まず、電源端子２１に電源コードを接続して商用電源を通電させ、電源ボタン３ｇがＯＦＦの状態で、メモリーボタン３ｂを押し、テンキー３ｃの数字ボタンを「１」「２」「３」の順番に押した後、電源ボタン３ｇで電源をＯＮにする。これにより、ロックが解除され、コース表示部９ａに「０１」が点滅表示される。
【００３５】
コース表示部９ａに「０１」が点滅表示されている状態で、クリアボタン３ａを押した後に、テンキー３ｃから変更したいコース番号を入力すると、その番号が点滅表示される。その後、メモリーボタン３ｂを押すと、変更するコース番号が確定して表示の点滅が停止すると共に、コード表示部９ｂにおいて「０００」が点滅表示される。コースデータの変更及び登録は、コース番号「００」について前述した手順と同じ手順で行うことができる。当該コース番号のコースデータの変更及び登録が完了すると、再びロックされる。
【００３６】
なお、コース登録モードにおいて、コース番号がコース表示部９ａに表示されている状態で、クリアボタン３ａを２秒以上長押しすると、そのコースデータを構成していた全てのコード番号が一括削除される。
【００３７】
次に、治療用モードでの処理の流れについて説明する。三つの治療用モードは、メモリーボタン３ｂの操作の仕方によって何れかが選択される。メモリーボタン３ｂの操作が１度押しの場合はコースモードが選択され、２度押しの場合は単独コードモードが選択され、長押しの場合はダイレクトモードが選択される。
【００３８】
図６に示すように、電気治療器１の電源をＯＮにすると、まず、ステップＳ１０１においてメモリーボタン３ｂが操作されたか否かが判断される。メモリーボタン３ｂが操作されるまで、ステップＳ１０１をループする。
【００３９】
メモリーボタン３ｂが操作された場合（ステップＳ１０１においてＹＥＳ）、次のステップＳ１０２において、１度押しであるか否かが判断される。１度押しである場合（ステップＳ１０２においてＹＥＳ）、コースモードが選択されたため、ステップＳ１０３においてコース表示部９ａに「００」を点滅表示させ、コース番号の入力を促す。ユーザは、テンキー３ｃで所望のコース番号を入力し、「＃」ボタンを押す。
【００４０】
ステップＳ１０４においてコース番号の入力の有無が判断され、「０１」〜「１５」の何れかの数字が入力された場合には、コース番号が入力されたと判断して次のステップＳ１０５へ進む。一方、入力された数字がそれ以外である場合は、コース番号が入力されていないと判断して、ステップＳ１０３へ戻る。
【００４１】
ステップＳ１０５では、入力されたコース番号と関連付けられたコースデータをデータベースから抽出する。そして、ステップＳ１０６において、コースデータを構成するコード番号のうち先頭の番号をコード表示部９ｂに表示させる。また、ステップＳ１０７において、コースデータを構成するコード番号それぞれに関連付けられたコードデータがデータベースから抽出される。更に、ステップＳ１０８において、コースデータを構成するコード番号の個数（コードデータの個数）をαとして取得する。
【００４２】
一方、ステップＳ１０２においてメモリーボタン３ｂの操作が１度押しではないと判断された場合は、ステップＳ１１１で、操作が２度押しであるか否かが判断される。２度押しである場合（ステップＳ１１１においてＹＥＳ）、単独コードモードが選択されたため、ステップＳ１１２においてコード表示部９ｂに「０００」を点滅表示させ、コード番号の入力を促す。ユーザは、テンキー３ｃで「００１」〜「３４４」のうち所望のコード番号を入力し、「＃」ボタンを押す。
【００４３】
ステップＳ１１３においてコード番号の入力の有無が判断され、「００１」〜「３４４」の何れかの数字が入力された場合には、コード番号が入力されたと判断して次のステップＳ１１４へ進む。一方、入力された数字がそれ以外である場合は、コード番号が入力されていないと判断して、ステップＳ１１２に戻る。
【００４４】
ステップＳ１１４では、入力されたコード番号と関連付けられたコードデータをデータベースから抽出する。単独コードモードでは、コード番号の個数は一つであるため、ステップＳ１１５において「α＝１」とする。
【００４５】
一方、ステップＳ１１１においてメモリーボタン３ｂの操作が２度押しではないと判断された場合は、ステップＳ１２１で、操作が長押しであるか否かが判断される。長押しでない場合は（ステップＳ１２１においてＮＯ）、コースモード、単独コードモード、ダイレクトモードの何れも選択されなかった場合であり、ステップＳ１０１に戻る。
【００４６】
メモリーボタン３ｂの操作が長押しである場合（ステップＳ１２１においてＹＥＳ）、ダイレクトモードが選択されたため、ステップＳ１２２においてコース番号「００」にコースデータが登録されているか否かが判断される。コースデータが登録されている場合は、ステップＳ１０５へ移行する。一方、コース番号「００」にコースデータが登録されていない場合は（ステップＳ１２２においてＮＯ）、ステップＳ１２３でコース登録モードを実行し、コース番号「００」にコースデータを登録させてからステップＳ１０５へ移行する。
【００４７】
そして、上述したコースモードと同様に、コース番号「００」と関連付けられたコースデータをデータベースから抽出し（ステップＳ１０５）、コースデータを構成するコード番号のうち先頭の番号をコード表示部９ｂに表示させる（ステップＳ１０６）。また、コースデータを構成するコード番号それぞれに関連付けられたコードデータをデータベースから抽出し（ステップＳ１０７）、コースデータを構成するコード番号の数をαとして取得する（ステップＳ１０８）。
【００４８】
コースモード及びダイレクトモードでステップＳ１０８が終了し、単独コードモードでステップＳ１１５が終了すると、各治療用モードでの出力を開始できる状態となる。ユーザは、上述のように、出力切換ボタン３ｆの操作により第一出力回路に切換えて、出力端子４ａ，４ｂの少なくとも一方に電極パッド対１１またはマット１２を接続する。或いは、出力切換ボタン３ｆの操作により第二出力回路に切換えて、出力端子４ｄにプローブ１３を接続し、必要に応じて出力端子４ｃにアース・グリップ１４を接続する。その上で、開始／一時停止ボタン３ｅを押す。
【００４９】
図７に示すように、ステップＳ２００において開始／一時停止ボタン３ｅが押されたと判断されると、ステップＳ２０１において、変数ｉに１の値をセットする。そして、次のステップＳ２０２で、ｉ番目（１番目）のコードデータを構成する出力周波数の種類数βが取得される。また、ステップＳ２０３において、ｉ番目のコードデータのコード番号を、コード表示部９ｂに表示させる。更に、ステップＳ２０４では、変数ｊに１の値をセットする。その後、ステップＳ２０５において、ｉ番目（１番目）のコードデータ内のｊ番目（１番目）の出力周波数の交流電流の出力を開始する。
【００５０】
次のステップＳ２０６では、出力の開始から所定時間（ここでは、３分）が経過したか否かが判断される。所定時間が経過したら（ステップＳ２０６においてＹＥＳ）、ステップＳ２０７へ進み、その周波数の出力を停止させる。次にステップＳ２０８においてｊの値に１が加算され、ｊの値がβを越えたか否か、すなわち、コードデータを構成する出力周波数の全てが出力されたか否かがが、ステップＳ２０９において判断される。
【００５１】
ｊの値がβを越えていないと判断された場合（ステップＳ２０９においてＮＯ）、ステップＳ２０５に戻って、ｉ番目（１番目）のコードデータ内のｊ番目（２番目）の出力周波数の出力を開始させる。そして、上記と同様に、所定時間の経過後に（ステップＳ２０６においてＹＥＳ）に出力を停止し（ステップＳ２０７）、ｊの値に１を加算（ステップＳ２０８）し、ｊの値がβを越えたか否かが判断される（ステップＳ２０９）。
【００５２】
ｊの値がβを越えるまで、ステップＳ２０５〜ステップＳ２０９が繰り返される。つまり、ｉ番目（１番目）のコードデータ内に含まれているβ個全ての出力周波数が、順番に出力される。そして、ステップＳ２０９において、ｊの値がβを越えたと判断されると、ステップＳ２１０でｉの値に１が加算され、ｉの値がαを越えたか否かが、ステップＳ２１１において判断される。単独コードモードの場合、コード番号の個数であるαは１であり、この時点でｉの値はαを越えるため（ステップ２１１においてＹＥＳ）、電気治療器１は動作を終了する。その際、スピーカ１０から報知音を出力させる。
【００５３】
一方、コースモードまたはダイレクトモードの場合、通常はコースデータを構成するコード番号の個数は２以上であり、「ｉ＞α」の関係を満たさないため（ステップ２１１においてＮＯ）、ステップＳ２０２に戻り、コースデータ内におけるｉ番目（２番目）のコードデータを構成する出力周波数の種類数βが取得される。この際、βの値は、先に取得された値から新しい値に変更される。そして、上記と同様に、ｉ番目のコードデータのコード番号がコード表示部９ｂに表示され（ステップＳ２０３）、変数ｊに１の値をセットした後（ステップＳ２０４）、ｉ番目（２番目）のコードデータ内のｊ番目（１番目）の出力周波数の交流電流の出力を開始する（ステップＳ２０５）。出力の開始から所定時間が経過したら（ステップＳ２０６においてＹＥＳ）、その周波数の出力を停止し（ステップＳ２０７）、ｊの値に１を加算して（ステップＳ２０８）、ｊの値がβを越えたか否かが判断される（ステップＳ２０９）。
【００５４】
ｊの値がβを越えるまで、ステップＳ２０２〜ステップＳ２０９が繰り返され、ｊの値がβを超えたら（ステップＳ２０９においてＹＥＳ）、ｉの値に１を加算した上で（ステップＳ２１０）、ｉの値がαを越えたか否かが判断される（ステップＳ２１１）。ｉの値がαを越えるまで、ステップＳ２０２〜ステップＳ２１１が繰り返され、コースデータを構成するα個のコードデータが順番に実行され、各コードデータではβ個の出力周波数が順番に出力される。
【００５５】
そして、ｉの値がαを越えたと判断された場合（ステップＳ２１１においてＹＥＳ）、コースデータを構成する全てのコードデータの実行が終了したため、スピーカ１０からの報知音の出力と共に、電気治療器１は動作を終了する。
【００５６】
電気治療器１では、治療用モードの選択に伴い合計の出力時間が時間表示部９ｄに表示され、出力の開始と共にカウントダウンされた時間が時間表示部９ｄに表示される。なお、電気治療器１では、コードデータに基づいて出力周波数の交流電流が出力されている時に、開始／一時停止ボタン３ｅを押すことにより、出力を一時的に停止させることができる。この状態では、時間表示部９ｄのカウントダウンが停止すると共に、出力値表示部９ｅの表示（電圧値、電流値）が「０００」となる。出力を停止させている状態で開始／一時停止ボタン３ｅを押すと、出力が再開されると共に時間表示部９ｄのカウントダウンが再開される。
【００５７】
電気治療器１では、上記の治療用モードにおいてコード表示部９ｂにコード番号が表示されている状態で、出力レベル設定ボタン３ｄを操作することにより、出力レベルを変更することができる。出力レベルは、出力電圧を１５０段階に分けたものであり、１段階を単位として増減させることができる。出力表示部９ｃでは、出力レベルが１０段階上昇すると点灯しているＬＥＤが一つ増加し、出力レベルが１０段階減少すると点灯していたＬＥＤが一つ消灯する。
【００５８】
また、制御部５は、出力周波数の出力を開始させる際に、出力レベルをゼロから設定値まで徐々に上昇させる。同様に、出力周波数の出力を停止させる際にも、出力レベルを設定値からゼロまで徐々に下降させる。このような出力レベルの制御は、治療用モードの実行中にコードデータに基づいて出力周波数が切換えられる時に加え、開始／一時停止ボタン３ｅの操作により出力を一時停止させたり再開させたりする時、電源ボタン３ｇがＯＦＦにされた時にも行われる。
【００５９】
ここで、出力レベルがゼロから設定値まで上昇する速度、及び、設定値からゼロまで下降する速度は、図８（ａ）〜図８（ｃ）に示すように、出力レベルの設定値の大きさによらず一定である。出力レベルの上昇速度・下降速度を、出力レベルの設定値の大きさによらず一定とすることにより、出力レベルの変化に伴って身体が受ける刺激が一定である。本実施形態では、出力レベルの上昇速度・下降速度は出力レベル１０段階／秒である。
【００６０】
なお、出力レベルの変更や、出力の一時停止及び再開は、入力操作部３の操作に加え、リモコン７によって行うことができる。
【００６１】
以上のように、本実施形態の電気治療器１によれば、入力操作部３からコース番号を入力すると、コース番号と関連付けられたコースデータ、及びコースデータを構成するコード番号と関連付けられたコードデータが、記憶部２から抽出される。そして、コースデータを構成しているコード番号の順番で、且つ、各コード番号のコードデータを構成している出力周波数の順番で、交流電流が出力される。従って、従来とは異なり、出力周波数を切換える度に動作を停止させて出力周波数を入力する必要はなく、複数の異なる周波数の連続的な出力を容易に行うことができる。
【００６２】
また、各コード番号と関連付けられたコードデータにおいては、複数の出力周波数が数値の小さい順に並べられており、その順番に出力される。これにより、出力の切換え時に身体が受ける刺激が小さく、不快感を覚え難い。そして、出力周波数が順に大きくなるように出力されるため、徐々に身体が刺激に慣れ、刺激が大きくなっても不快感を覚え難い。
【００６３】
更に、各コースデータを構成している出力周波数の種類数を、５０個を越えないようにしているため、所要時間が長くなることによりユーザを疲れさせるおそれが低減されている。
【００６４】
また、出力周波数の出力を開始する時には、出力レベルをゼロから設定値まで徐々に上昇させ、出力を停止する時には、出力レベルを設定値からゼロまで徐々に下降させているため、出力レベルの変化に伴って受ける刺激が小さいものとなっている。また、出力レベルの設定値の大きさによらず、出力レベルの変化速度を一定としているため、出力レベルの変化に伴って受ける刺激が一定である。
【００６５】
加えて、電気治療器１では、出力回路を第一出力回路と第二出力回路とに切換えることができ、交流電流が出力される出力端子４ａ〜４ｄに、電極パッド対１１、マット１２、及び、プローブ１３の何れかを接続することができる。これにより、一台で種類の異なる治療が実行できる電気治療器に対する要請に、応えることができる。
【００６６】
以上、本発明について好適な実施形態を挙げて説明したが、本発明は上記の実施形態に限定されるものではなく、本発明の要旨を逸脱しない範囲において、種々の改良及び設計の変更が可能である。
【００６７】
例えば、上記の実施形態では、記憶させることができるコードデータの数が最大で３４４個である場合を例示したが、最大数をより多くしてもよく、１５０００〜２００００個とすることができる。これにより、コードデータの選択の幅が広がることに加え、コードデータが組み合わせられたコースデータの種類数を、大きく増加させることができる。
【図１】
2019167253.tif 000003
【図２】
2019167253.tif 000004
【図３】
2019167253.tif 000005
【図４】
2019167253.tif 000006
【図５】
2019167253.tif 000007
【図６】
2019167253.tif 000008
【図７】
2019167253.tif 000009
【図８】
2019167253.tif 000010
【国際調査報告】
2019167253.tif 000011
2019167253.tif 000012
2019167253.tif 000013
2019167253.tif 000014